(57)【要約】【課題】有機ＥＬ表示装置の消費電力を低減することができる有機ＥＬ駆動回路および有機ＥＬ表示装置を提供することにある。【解決手段】この発明は、端子ピンを介して有機ＥＬ素子を電流駆動するＲ，Ｇ，Ｂの表示色に対応して設けられた電流源と、Ｒ，Ｇ，Ｂのうちの発光効率の低い表示色の有機ＥＬ素子に対応する電流源に電力を供給する所定の電圧の第１の電源ラインと、Ｒ，Ｇ，Ｂのうちのの残りのいずれかの表示色の有機ＥＬ素子に対応する電流源に電力を供給する所定の電圧より低い第２の電源ラインと、第１の電源ラインから電力を受けて第２の電源ラインに電力を供給して第２の電源ラインの電圧を所定の電圧より低い一定の電圧に安定化するスイッチングレギュレータとを備えるものである。【選択図】    図１
2005003849.tif 000002
【特許請求の範囲】
【請求項１】
有機ＥＬパネルのＲ，Ｇ，Ｂの表示色の有機ＥＬ素子それぞれに対応して設けられた端子ピンを介して前記有機ＥＬ素子を電流駆動する有機ＥＬ駆動回路において、
前記端子ピンを介して前記有機ＥＬ素子を電流駆動する前記Ｒ，Ｇ，Ｂの表示色に対応して設けられた電流源と、
前記Ｒ，Ｇ，Ｂのうちの発光効率の低い表示色の前記有機ＥＬ素子に対応する前記電流源に電力を供給する所定の電圧の第１の電源ラインと、
前記Ｒ，Ｇ，Ｂのうちのの残りのいずれかの表示色の前記有機ＥＬ素子に対応する前記電流源に電力を供給する前記所定の電圧より低い第２の電源ラインと、
前記第１の電源ラインから電力を受けて前記第２の電源ラインに電力を供給して前記第２の電源ラインの電圧を前記所定の電圧より低い一定の電圧に安定化するスイッチングレギュレータとを備える有機ＥＬ駆動回路。
【請求項２】
さらに、前記第１の電源ラインと前記第２の電源ラインとの間の電位差に応じた検出信号を発生する検出回路を有し、前記第１の電源ラインは、前記Ｒの表示色に対応する前記電流源に電力を供給するものであり、前記第２の電源ラインは、前記Ｇの表示色あるいは前記Ｂの表示色に対応する前記電流源に電力を供給するものであり、前記スイッチングレギュレータは、前記検出回路の検出信号に応じて動作しあるいは動作を停止する請求項１記載の有機ＥＬ駆動回路。
【請求項３】
前記第２の電源ラインは、前記Ｇの表示色および前記Ｂの表示色に対応するそれぞれの前記電流源に電力を供給するものであり、前記スイッチングレギュレータは、前記検出回路の検出信号に応じてＰＷＭスイッチング制御を行う回路である請求項２記載の有機ＥＬ駆動回路。
【請求項４】
有機ＥＬパネルのＲ，Ｇ，Ｂの表示色の有機ＥＬ素子それぞれに対応して設けられた端子ピンを介して前記有機ＥＬ素子を電流駆動する有機ＥＬ駆動回路を有する有機ＥＬ表示装置において、
前記端子ピンを介して前記有機ＥＬ素子を電流駆動する前記Ｒ，Ｇ，Ｂの表示色に対応して設けられた電流源と、
前記Ｒ，Ｇ，Ｂのうちの発光効率の低い表示色の前記有機ＥＬ素子に対応する前記電流源に電力を供給する所定の電圧の第１の電源ラインと、
前記Ｒ，Ｇ，Ｂのうちのの残りのいずれかの表示色の前記有機ＥＬ素子に対応する前記電流源に電力を供給する前記所定の電圧より低い第２の電源ラインと、
前記第１の電源ラインから電力を受けて前記第２の電源ラインに電力を供給して前記第２の電源ラインの電圧を前記所定の電圧より低い一定の電圧に安定化するスイッチングレギュレータとを備える有機ＥＬ表示装置。
【請求項５】
さらに、前記第１の電源ラインと前記第２の電源ラインとの間の電位差に応じた検出信号を発生する検出回路を有し、前記第１の電源ラインは、前記Ｒの表示色に対応する前記電流源に電力を供給するものであり、前記第２の電源ラインは、前記Ｇの表示色あるいは前記Ｂの表示色に対応する前記電流源に電力を供給するものであり、前記スイッチングレギュレータは、前記検出回路の検出信号に応じて動作しあるいは動作を停止する請求項４記載の有機ＥＬ表示装置。
【請求項６】
前記第２の電源ラインは、前記Ｇの表示色および前記Ｂの表示色に対応するそれぞれの前記電流源に電力を供給するものであり、前記スイッチングレギュレータは、前記検出回路の検出信号に応じてＰＷＭスイッチング制御を行う回路である請求項５記載の有機ＥＬ表示装置。
【発明の詳細な説明】
【０００１】
【発明の属する技術分野】
この発明は、有機ＥＬ駆動回路および有機ＥＬ表示装置に関し、詳しくは、有機ＥＬ表示装置の消費電力を低減することができるような有機ＥＬ駆動回路および有機ＥＬ表示装置の改良に関する。
【０００２】
【従来の技術】
有機ＥＬ表示装置は、自発光による高輝度表示が可能であることから、小画面での表示に適し、携帯電話機、ＤＶＤプレーヤ、ＰＤＡ（携帯端末装置）等に搭載される次世代表示装置として現在注目されている。この有機ＥＬ表示装置には、液晶表示装置のように電圧駆動を行うと、輝度ばらつきが大きくなり、かつ、Ｒ（赤），Ｇ（緑），Ｂ（青）に感度差があることから制御が難しくなる問題点がある。そこで、最近では、電流駆動のドライバを用いた有機ＥＬ表示装置が提案されている。
【０００３】
Ｒ，Ｇ，Ｂの駆動電流に対する発光効率の比は、例えば、Ｒ：Ｇ：Ｂ＝６：１１：１０程度と差があって、このような発光効率は、使用される有機ＥＬ素子（以下ＥＬ素子）の材料によって異なってくる。
そこで、カラー表示における電流駆動回路では、Ｒ，Ｇ，Ｂ対応に使用材料に応じて輝度調整をして表示画面上でホワイトバランスを採る必要がある。そのために、Ｒ，Ｇ，Ｂ対応に輝度調整をする調整回路が設けられている。
ところで、マトリックス状に配置したＥＬ素子を電流駆動し、かつ、ＥＬ素子の陽極と陰極をグランドに落としてリセットするＥＬ素子の駆動回路が特許文献１として公知である。また、ＤＣ−ＤＣコンバータを用いてＥＬ素子を低消費電力で電流駆動する技術が特許文献２として公知である。
【０００４】
【特許文献１】
特開平９−２３２０７４号公報
【特許文献２】
特開２００１−１４３８６７号公報
【０００５】
【発明が解決しようとする課題】
近年、駆動ピン数は高解像度の要請により増加する傾向にある。そのため、駆動周波数も高くなり、消費電力は増加する傾向にある。そこで、消費電力の低減の要請が強い。
図２は、Ｒ，Ｇ，ＢのＥＬ素子における輝度と印加電圧の関係を示す特性グラフ図であり、図３は、同素子の輝度と駆動電流密度の関係を示す特性グラフ図である。
図２，図３に示すように、通常、駆動電流値が等しければ、同じ発光輝度を得る駆動電圧は、Ｒに対してＧ，Ｂの電圧の方が低い。そこで、Ｒに対してＧ，Ｂの電源電圧を低くしてもＲ，Ｇ，ＢのＥＬ素子の輝度を同程度にできる。
しかし、Ｒの電源電圧とＧ，Ｂの電電源電圧の２系統の電源ラインを設けて、それぞれに電力供給すると、電源回路で消費される電力が大きくなり問題である。例えば、シリーズレギュレータを設けて高い電圧から降圧して高い電圧と低い電圧の２系統の電力を生成すると、高い電源電圧から降圧することによる電力ロスが大きくなる。スイッチングレギュレータで２系統の電圧出力を得ても、それぞれ電圧の電力ラインに対してスイッチング制御を行うことになるので、結局、消費電力を十分に低減することはできない。
この発明の目的は、このような従来技術の問題点を解決するものであって、有機ＥＬ表示装置の消費電力を低減することができる有機ＥＬ駆動回路および有機ＥＬ表示装置を提供することにある。
【０００６】
【課題を解決するための手段】
このような目的を達成するためのこの発明の有機ＥＬ駆動回路およびこれを用いる有機ＥＬ表示装置の特徴は、有機ＥＬパネルのＲ，Ｇ，Ｂの表示色の有機ＥＬ素子それぞれに対応して設けられた端子ピン（以下ピン）を介して有機ＥＬ素子を電流駆動する有機ＥＬ駆動回路において、
ピンを介して有機ＥＬ素子を電流駆動するＲ，Ｇ，Ｂの表示色に対応して設けられた電流源と、Ｒ，Ｇ，Ｂのうちの発光効率の低い表示色の有機ＥＬ素子に対応する電流源に電力を供給する所定の電圧の第１の電源ラインと、Ｒ，Ｇ，Ｂのうちのの残りのいずれかの表示色の有機ＥＬ素子に対応する電流源に電力を供給する所定の電圧より低い第２の電源ラインと、第１の電源ラインから電力を受けて第２の電源ラインに電力を供給して第２の電源ラインの電圧を所定の電圧より低い一定の電圧に安定化するスイッチングレギュレータとを備えるものである。
【０００７】
【発明の実施の形態】
この発明にあっては、Ｒ，Ｇ，ＢのＥＬ素子の発光効率に応じて電圧の高い第１の電源ラインおよびこれより電圧の低い第２の電源ラインをそれぞれ設けて、それぞれのＥＬ素子を駆動する電流源を異なる電圧で動作させる。そして、発光効率が高いＥＬ素子の第２の電源ラインに対する電力は、発光効率が低いＥＬ素子の第１の電源ラインからスイッチングレギュレータを介して電力を供給し、スイッチングレギュレータにより第２の電源ラインの電圧を所定の電圧に安定化する。このスイッチングレギュレータは、第１の電源ラインと第２の電源ラインとの差の電圧においてレギュレーション動作すればよいので、その分、消費電力を低減することができる。
その結果、有機ＥＬ表示装置の消費電力を低減することができる。
【０００８】
【実施例】
図１は、この発明の有機ＥＬ駆動回路を適用した一実施例の有機ＥＬパネルのカラムドライバの電源回路を中心とするブロック図である。
図１において、１０は、有機ＥＬパネルにおける有機ＥＬ駆動回路としてのカラムＩＣドライバ（以下カラムドライバ）であって、１は、カラムドライバ１０に電力を供給するＤＣ／ＤＣコンバータであり、Ｒ（赤）に対応する、例えば、ＤＣ１２Ｖの電圧の電力を＋Ｖｃｃの電源ライン２に入力端子１０ａを介して電力を出力する電源回路である。
３は、カラムドライバ１０において、Ｇ（緑）およびＢ（青）に対応する、例えば、ＤＣ９Ｖの電圧の電力を電源ラインである。４は、電源ライン２からの電力を受けて電源ライン３に降圧した電力を安定化して供給する供給電力制御回路である。
５Ｇ，５Ｒ，５Ｂは、それぞれカラムドライバ１０のＲ，Ｇ，Ｂに対応する出力段電流源であり、入力側トランジスタに所定の駆動電流を受けるカレントミラー回路でそれぞれ構成される。出力段電流源５Ｒは、電源ライン２に接続され、これから電力供給を受けて動作し、出力段電流源５Ｇ，５Ｂは、電源ライン３に接続され、これから電力供給を受けて動作する。
出力段電流源５Ｒ，５Ｇ，５Ｂは、それぞれに対応して前段に設けられたＤ／Ａ変換回路（図示せず）から駆動電流を受ける。このＤ／Ａ変換回路は、受けた電流を基準にして、受けた輝度の表示データをＤ／Ａ変換して端子ピン対応に表示データに応じた駆動電流を生成する。この変換された駆動電流により出力段電流源５Ｒ，５Ｇ，５Ｂのそれぞれのカレントミラーの出力回路が駆動されて、端子ピン対応に有機ＥＬ素子の駆動電流が発生することになる。
６Ｇ，６Ｒ，６Ｂは、それぞれＲ，Ｇ，Ｂに対応するＥＬ素子であって、出力段電流源５Ｇ，５Ｒ，５Ｂにそれぞれの陽極側が端子ピン８を介してそれぞれに接続され、陰極側は、ロー側走査回路７を介して接地される。
【０００９】
供給電力制御回路４は、ＰＷＭ（パルスワイドモジュレーション）のスイッチング制御をするレギュレーション回路であって、電源ライン２に対して電源ライン３が３Ｖ低い一定電圧値に維持されるように制御する。そのために、電源ライン２の電圧を基準としてこれに対して電源ライン３に対する出力電力の電圧が検出回路５０により検出される。そして、これら電源ライン２，３の電位差に対応する電力がトランジスタＱ６２を介して電源ライン３に供給される。
供給電力制御回路４は、基準電圧発生回路４０、検出回路５０、スイッチングレギュレーション回路６０、そして平滑回路７０からなる。
なお、平滑回路７０は、カラムドライバ１０に対してその外側に設けられている回路である。
【００１０】
スイッチングレギュレーション回路６０は、電源ライン２（＋Ｖｃｃ）と電源ライン３との間に挿入された回路である。これは、制御電圧値発生回路６５とスイッチング回路６６とからなる。制御電圧値発生回路６５は、トランジスタＱ６１とアンプ６１とを有していて、スイッチング制御のための制御電圧値を発生する。スイッチング回路６６は、コンパレータ６２とＰＮＰ形のスイッチングトランジスタＱ６２、そして三角波発生回路６３とからり、電源ライン２（＋Ｖｃｃ）から電源ライン３に接続される電力供給ラインをトランジスタＱ６２によりＯＮ／ＯＦＦして、その結果得られる電力を平滑回路７０を介して電源ライン３に送出する。
【００１１】
この供給電力制御回路４０の制御により電源ライン３の電圧は、９Ｖになるように安定化される。このとき、トランジスタＱ６２  での消費電力は、スイッチング制御により電源ライン２から電源ライン３に電力が供給されるので、その電力消費は、降圧トランジスタ等により場合に比べて低減される。また、この供給電力制御回路４０の動作電圧は、電源ライン２（＋Ｖｃｃ）と電源ライン３との電位差である３Ｖとなるので、９Ｖを発生するスイッチングレギュレータを独立に電源回路として設ける場合よりも消費電力が低減される。しかも、検出回路５０は、電源ライン２（＋Ｖｃｃ）と電源ライン３との電位差を検出するものである。この点でも消費電力を抑えることができる。
なお、トランジスタＱ６２のスイッチング周波数は、例えば、５０ｋＨｚ〜８００ｋＨｚ程度の高い周波数である。
【００１２】
検出回路５０は、ベース−エミッタ間を検出端子とするＮＰＮトランジスタＱ５０を主体として構成されている。その検出信号Ｅは、スイッチングレギュレーション回路６０のトランジスタＱ６１に出力されてトランジスタＱ６２をＯＮ／ＯＦＦさせる。トランジスタＱ５０のエミッタは、電力の出力ラインである電源ライン３に接続され、これの電圧をそのエミッタに受ける。そのベースは、抵抗Ｒ５０の一端に接続されている。ベースが接続された抵抗Ｒ５０の一端は、基準電圧発生回路４０を介して電源ライン２に接続され、抵抗Ｒ５０の他端は、電源ライン３に接続されている。
基準電圧発生回路４０は、電源ライン２を基準としてこのラインより一定電位低い電圧を発生する回路であって、電源ライン２に接続され、順方向に挿入されたダイオード４１，４２，４３の直列回路とからなり、ダイオード４３のカソード側は、トランジスタＱ５０のベースに抵抗Ｒ５１を介して接続されている。トランジスタＱ５０のベースとエミッタ間には抵抗Ｒ５０が設けられていて、抵抗Ｒ５０の両端子間の電圧は、電源ライン２と電源ライン３との電圧差が実質的に３Ｖにあるときに、実質的に１Ｖｆ（≒０．７）か、この近傍に設定され、トランジスタＱ５０がＯＮからＯＦＦあるいはＯＦＦからＯＮになる状態にある。そのように抵抗Ｒ５１と抵抗Ｒ５０の抵抗値が選択されている。そこで、電源ライン３の電圧が電源ライン２の電圧に対して３Ｖ以下になっているときにはトランジスタＱ５０はＯＦＦしている。
また、基準電圧発生回路４０は、電源ライン２に対してダイオード４２のカソード側の電圧を３Ｖｆ（≒２．１Ｖ）低下した電位に設定する。この電圧が基準電圧信号Ｇとして後述する他の回路へ出力される。
なお、トランジスタＱ５０がＯＦＦしているときには、トランジスタＱ６１もＯＦＦし、アンプ６１の出力は、三角波発生回路６４の三角波の信号以下のレベルとなる。このとき、コンパレータ６２は、ＨＩＧＨレベル（以下“Ｈ”）の出力を発生して、トランジスタＱ６２をＯＦＦ状態にする。
その結果、電源ライン２に対して電源ライン３が３Ｖ低い一定電圧に保持され、このときにはスイッチングレギュレーション回路６０の動作は停止している。
【００１３】
検出回路５０は、電源ライン２を基準としてこれに対して電源ライン３が３Ｖを越えてそれより低下したときには、トランジスタＱ５０がＯＮになり、トランジスタＱ５０は、その差に応じた検出信号Ｅを発生する。トランジスタＱ６１は、この誤差電圧Ｅに応じてそれを増幅した電圧をそのコレクタ側に分圧電圧Ｆとして発生し、アンプ６１に出力する。これを受けたアンプ６１は、コンパレータ６２に出力信号Ｐ（比較電圧値Ｐ）を発生する。
その結果、制御電圧値発生回路６５は、検出回路５０の検出信号Ｅを受けてコンパレータ６２に対する比較電圧値Ｐを発生する。
【００１４】
具体的に説明すると、電源ライン３が３Ｖを越えて低下し、トランジスタＱ５０がＯＮすると、３Ｖから越えた差分の電圧を示す検出信号Ｅ（＝誤差電圧）が発生し、これに応じた電流がトランジスタＱ６１のベースに加えられる。そして、検出回路５０からの検出信号Ｅを受けてトランジスタＱ６１がＯＮし、電源ライン２（＋Ｖｃｃ）の電位と電源ライン３の電位との間の電圧値を、トランジスタＱ６１のコレクタ側に直列接続された直列接続の抵抗回路Ｒ６２，Ｒ６３の接続点Ｎに分圧電圧Ｆとして発生する。ただし、抵抗Ｒ６２の抵抗値＜抵抗Ｒ６３の抵抗値とする。これにより電源ライン３側が電圧が多少低下しても分圧電圧Ｆは、実質的にそのときどきのトランジスタＱ６１の内部インピーダンスにより決定される電圧値になる。すなわち、検出信号Ｅの電流値が大きくなると、分圧電圧Ｆは高くなる。
アンプ６１は、この分圧電圧Ｆを受けて、これとダイオード４２のカソード側の電位（基準電圧信号Ｇ）との差分の信号を増幅して前記の比較電圧値Ｐを発生する。そして、これをコンパレータ６２の（−）  入力（基準端子側）に出力する。
比較電圧値Ｐは、分圧電圧Ｆが高くなると、高くなる。したがって、検出信号Ｅの電流値が大きくなると、高くなる。
【００１５】
コンパレータ６２は、（＋）  入力に周波数が可聴周波数を超える一定周波数の三角波の信号Ｓを三角波発生回路６３から受ける。そして、比較電圧値Ｐの電圧と信号Ｓの電圧とを比較して信号Ｓの電圧が比較電圧値Ｐの電圧を越えているときにはＰＮＰトランジスタＱ６２をＯＦＦさせる“Ｈ”の信号を駆動パルスＨとして出力し、この駆動パルスＨがトランジスタＱ６２に加えられる。
ただし、ここでの三角波の信号Ｓは、基準電圧信号Ｇ（ダイオード４２のカソード側の電位）を基準とするものであり、コンパレータ６２に入力される前に基準電圧信号Ｇと信号Ｓとが合成回路６４で合成される。
その結果、トランジスタＱ６２は、トランジスタＱ５０の検出信号Ｅの誤差電圧に応じてＰＷＭ制御される。検出信号Ｅの誤差電圧は、電源ライン２と電源ライン３との差に応じて発生する。その結果、電源ライン３の電圧が大きく低下したときには、大きな電力が電源ライン２から電源ライン３に供給され、電源ライン３の電圧が少し低下したときには、それに応じた電力が電源ライン２から電源ライン３に供給される。
【００１６】
電源ライン３の電圧が電源ライン２に対して３Ｖ低い電圧になったときには、トランジスタＱ５０がＯＦＦする。このときの検出信号Ｅを検出回路５０から受けてトランジスタＱ６１がＯＦＦし、これがＯＦＦしたときには、電源ライン３の電圧とダイオード４２のカソード側の電圧（基準電圧信号Ｇの電圧）との差分、すなわち、抵抗Ｒ５０の端子電圧である約０．７Ｖ（≒１Ｖｆ  ）低い電圧信号がアンプ６１に入力される。それがアンプ６１で増幅されて比較電圧値Ｐが発生する。このとき比較電圧値Ｐは、一定電圧値になり、前記したように、三角波の信号レベルより低い値を採る。その結果、コンパレータ６２の出力は、“Ｈ”になり、トランジスタＱ６２はＯＦＦのままになる。
そこで、電源ライン３の電圧は、電源ライン２よりも３Ｖ低い一定の電圧に維持され、この間、平滑回路７０のコンデンサＣから電源ライン３に電力が供給される。
【００１７】
平滑回路７０は、スイッチング回路６６のトランジスタＱ６２の出力に接続されていてその出力電力を平滑化する。この回路は、トランジスタＱ６２の出力と電源ライン３との間に直列に挿入されたコイルＬ７０と電源ライン３とグランドＧＮＤとの間に接続された電力を蓄積用のコンデンサＣとからなる。
このコイルＬ７０を介することで、スイッチングされた電力が平滑化され、この平滑化された電力が電源ライン３に送出されるとともに、コンデンサＣに蓄積される。
なお、コイルＬ７０の入力端と接地ＧＮＤ間にはフライホイールダイオードＤ７０が接続されている。このダイオードＤ７０によりコイルＬ７０に流れる電流の還流路が形成される。これにより電力供給ラインがスイッチングトランジスタＱ６２により遮断されているときにコイルＬ７０に蓄えられたエネルギーが慣性電流としてアンプ３側に供給されてコイルＬ７０へと戻る。
【００１８】
その結果、出力段電流源５Ｇ，５Ｂが動作してＥＬ素子６Ｇ，６Ｂに電力が供給され、電力用のコンデンサＣの電荷が放電してコンデンサＣの電圧が下がると、電源ライン３の電圧が電源ライン２に対して３Ｖを越えて低下する。このとき、検出回路５０のトランジスタＱ５０がＯＮになり、スイッチングレギュレーション回路６０が動作して電源ライン３に電力が供給され、電力用のコンデンサＣが充電されるとともに、出力段電流源５Ｇ，５Ｂに電力が供給される。そして、電力用のコンデンサＣの電圧が上がり、電源ライン３の電位と電源ライン２の電位の差が３Ｖになると、検出回路５０のトランジスタＱ５０がＯＦＦになり、コンパレータ６２の出力が“Ｈ”となって、トランジスタＱ６２がＯＦＦのままとなり、スイッチングレギュレーション回路６０の動作が停止する。
このようにして、電源ライン３の電圧は、電源ライン２に対して３Ｖ低い９Ｖに安定化される。
【００１９】
ところで、アクディブマトリックスの有機ＥＬパネルでは、駆動電流値が小さくなるので、出力段電流源５Ｒ，５Ｇ，５Ｂを駆動する前段のＤ／Ａ変換回路の出力そのものを駆動電流として使用することができる。この場合にはＤ／Ａ変換回路が出力段電流源になる。そこで、この発明の出力段電流源には出力段として使用されるこのようなＤ／Ａ変換回路を含むものである。
【００２０】
以上説明してきたが、実施例のスイッチングレギュレーション回路６０は、ＰＷＭ制御のスイッチングレギュレータであるが、この発明は、検出信号Ｅに応じて動作をさせ、動作を停止するようなスイッチング制御が行われればどのような制御回路であってもよい。例えば、特性の周波数でＯＮ／ＯＦＦするスイッチングレギュレータを使用してもよい。特性の周波数でスイッチングトランジスタＱ６２をＯＮ／ＯＦＦする場合には、リングオシレータを使用することができる。
また、実施例では、Ｇ，Ｂとは、同じ電源ライン３を介して電力供給をしているが、Ｇ，Ｂそれぞれに電源ラインを設けて個別に電力供給してもよい。この場合に、それぞれの電源ラインに電力供給をするためにそれぞれにスイッチングレギュレーション回路を設けてもよい。
さらに、実施例では、Ｒを高い電圧の電源ラインとし、Ｇ，Ｂをこれより低い電圧の電源ラインとしているが、これは、ＲのＥＬ素子が他のＥＬ素子よりも発光効率が低いからである。この発明は、ＥＬ素子の発光効率によって電源ラインの電圧が決定されるものであり、必ずしも、Ｒが高い電圧の電源ラインであるとは限らない。
なお、実施例では、バイポーラトランジスタを主体として構成しているが、ＭＯＳＦＥＴトランジスタを主体としても構成してもよいことはもちろんである。また、実施例のｎｐｎ型トランジスタ（あるいはＮチャンネル型）は、ｐｎｐ型（あるいはＰチャンネル型）トランジスタに、ｎｐｎ型トランジスタは、Ｎチャンネル（あるいはＰチャンネル型）トランジスタに置き換えることができる。この場合には、電源電圧は負となり、上流に設けたトランジスタは下流に設けることになる。
【００２１】
【発明の効果】
以上説明してきたように、この発明にあっては、Ｒ，Ｇ，ＢのＥＬ素子の発光効率に応じて電圧の高い第１の電源ラインおよびこれより電圧の低い第２の電源ラインをそれぞれ設けて、それぞれのＥＬ素子を駆動する電流源を異なる電圧で動作させる。そして、発光効率が高いＥＬ素子の第２の電源ラインに対する電力は、発光効率が低いＥＬ素子の第１の電源ラインからスイッチングレギュレータを介して電力を供給し、スイッチングレギュレータにより第２の電源ラインの電圧を所定の電圧に安定化する。このスイッチングレギュレータは、第１の電源ラインと第２の電源ラインとの差の電圧においてレギュレーション動作すればよいので、その分、消費電力を低減することができる。
その結果、有機ＥＬ表示装置の消費電力を低減することができる。
【図面の簡単な説明】
【図１】図１は、この発明の有機ＥＬ駆動回路を適用した一実施例の有機ＥＬパネルのカラムドライバの電源回路を中心とするブロック図である。
【図２】図２は、Ｒ，Ｇ，ＢのＥＬ素子における輝度と印加電圧の関係を示す特性グラフ図である。
【図３】図３は、同素子の輝度と駆動電流密度の関係を示す特性グラフ図である。
【符号の説明】
１…ＤＣ／ＤＣコンバータ、
２，３…電源ライン、
４…供給電力制御回路、
５Ｇ，５Ｒ，５Ｂ…出力段電流源、
６Ｇ，６Ｒ，６Ｂ…有機ＥＬ素子、
７…ロー側走査回路、８…端子ピン、
４…供給電力制御回路、４０…基準電圧発生回路、
４１，４２，４３…ダイオード、
５０…検出回路、
６０…スイッチングレギュレーション回路、６５…制御電圧値発生回路、
６１…アンプ、６２…コンパレータ、６３…三角波発生回路、
６６…スイッチング回路、７０…平滑回路、
Ｑ５０，Ｑ６１，Ｑ６２…トランジスタ。
【図１】
2005003849.tif 000003
【図２】
2005003849.tif 000004
【図３】
2005003849.tif 000005